(57)【要約】【課題】手書きナビシートを作成する場合、手書きキャラクタの位置や大きさを誤っても、手書きナビシートを再び印刷するという最初の段階から作業を繰り返す必要がない複合機及び複合システムを提供することを目的とする。【解決手段】画像データ記憶装置に保存されている画像と、手書きのキャラクタとを合成するためのフォーマットを印刷する印刷手段と、上記フォーマットを読み取る読取手段と、手書きキャラクタを判別する判別手段と、上記判別手段が判別した手書きキャラクタを保存する保存手段と、上記画像データと手書きキャラクタとを合成表示する合成表示手段と、上記合成表示手段が表示している画像と手書きキャラクタとを操作する操作手段とを有する。【選択図】図９
2008172712.tif 000002
【特許請求の範囲】
【請求項１】
画像データ記憶装置に保存されている画像と、手書きのキャラクタとを合成するためのフォーマットを印刷する印刷手段と；
上記フォーマットを読み取る読取手段と；
手書きキャラクタを判別する判別手段と；
上記判別手段が判別した手書きキャラクタを保存する保存手段と；
上記画像データと手書きキャラクタとを合成表示する合成表示手段と；
上記合成表示手段が表示している画像と手書きキャラクタとを操作する操作手段と；
を有することを特徴とする複合機。
【請求項２】
請求項１において、
上記操作手段は、上記キャラクタの位置、方向、大きさ、色、フォントのうちの少なくとも１つを変更する手段であることを特徴とする複合機。
【請求項３】
請求項１において、
上記操作手段は、回転式のダイヤルと方向ボタンとを具備し、表示されている手書きキャラクタの位置、方向、大きさ、色のうちの少なくとも１つを段階的に変化させる手段であることを特徴とする複合機。
【請求項４】
画像データ記憶装置に保存されている画像と、手書きのキャラクタとを合成するためのフォーマットを印刷する印刷手段と、上記フォーマットを読み取る読取手段と、手書きキャラクタを判別する判別手段と、上記判別手段が判別した手書きキャラクタを保存する保存手段と、上記画像データと手書きキャラクタとを合成表示する合成表示手段と、上記合成表示手段が表示している画像と手書きキャラクタとを操作する操作手段とを具備する複合機と；
上記複合機に画像データを入出力するＰＣと；
上記複合機と接続する外部装置と；
を有することを特徴とする複合システム。
【請求項５】
画像データ記憶装置に保存されている画像と、手書きのキャラクタとを合成するためのフォーマットを印刷手段に印刷させる印刷工程と；
上記フォーマットを読み取り、記憶装置に記憶する読取工程と；
手書きキャラクタを判別し、記憶装置に記憶する判別工程と；
上記判別工程で判別された手書きキャラクタを記憶装置に保存する保存工程と；
上記画像データと手書きキャラクタとを合成表示手段に合成表示する合成表示工程と；
上記合成表示手段に表示されている画像と手書きキャラクタとをユーザが操作した結果を、記憶装置に記憶する記憶工程と；
を有することを特徴とする複合機の制御方法。
【発明の詳細な説明】
【技術分野】
【０００１】
本発明は、プリンタ・複写機・ファクシミリ等の印刷部と、光学式のラインスキャナ等による読取部と、メモリカードやＨＤＤ、ＤＶＤ、ＭＯ等のストレージとが、１つの装置に組み込まれている複合機に関する。
【０００２】
また、本発明は、プリンタ、スキャナ、ストレージが有線または無線で接続されている複合システムである。この場合、メモリカードやストレージ内に保存されている画像データと手書きのキャラクタとを、「手書きナビシート」と呼ばれる紙フォーマットを用いて合成し、手書きのキャラクタと画像とを合成して印刷する複合システムである。
【背景技術】
【０００３】
現在、プリンタ、スキャナ、メモリカードリーダ、表示装置（ＬＣＤ）を、一体化したマルチファンクションプリンタ（ＭＦＰ）が市販されている。このＭＦＰには、上記「手書きナビシート」機能を搭載した機種がある。
【０００４】
図６は、従来のＭＦＰで使用している手書きナビシート６０１の例を示す図である。
【０００５】
手書きナビシート６０１は、印刷設定とレイアウト設定とを行うエリア６０２と、合成する元画像を表示するエリア６０３と、元画像と位置的に対応し、キャラクタを手書きする手書きエリア６０４とが印刷されているシートである。
【０００６】
手書きナビシート６０１は、まず、エリア６０２に記載されている設定のうちで、希望する印刷設定、レイアウト設定を選択し、マークで塗りつぶす。次に、手書きエリア６０４に、所望のキャラクタを鉛筆等で自由に書込む。
【０００７】
図７は、ユーザが、印刷設定を選択し、レイアウト設定を選択し、キャラクタを手書きした従来の手書きナビシート７０１を示す図である。
【０００８】
手書きナビシート７０１を、読取部（スキャナ）が読み取ることによって、画像と手書きキャラクタとが、自動的に合成され、設定した用紙、レイアウトで印刷される。
【０００９】
手書きのキャラクタと画像とを合成する場合、タッチパネルを具備する電子機器（デジタルカメラ）において、タッチパネル上で、キャラクタを手書きして、入力し、画像と手書きキャラクタとを合成する方法が知られている（たとえば、特許文献１参照）。
【特許文献１】特開２０００−３０７９１５号公報
【発明の開示】
【発明が解決しようとする課題】
【００１０】
従来の手書きナビシートでは、手書きナビシートをスキャナ部が読み取った後に、自動的に合成印刷するので、手書きキャラクタの位置や大きさを誤って手書きした場合、手書きナビシートを再び印刷し、最初の段階から、作業を繰り返す必要がある。この作業が煩雑であるという問題がある。つまり、手書きキャラクタの位置や大きさを誤って手書きした場合、手書きナビシートを再び印刷し、最初の段階から、作業を繰り返す作業が煩雑であるという問題がある。
【００１１】
また、タッチパネルを用いた技術では、タッチパネルを必要とするので、タッチパネルに関連した部品が必要になり、コスト高になり、また、装置全体のサイズが大きくなるという問題がある。
【００１２】
本発明は、手書きナビシートを作成する場合、手書きキャラクタの位置や大きさを誤っても、手書きナビシートを再び印刷するという最初の段階から作業を繰り返す必要がない複合機及び複合システムを提供することを目的とする。
【課題を解決するための手段】
【００１３】
本発明は、画像データ記憶装置に保存されている画像と、手書きのキャラクタとを合成するためのフォーマットを印刷する印刷手段と、上記フォーマットを読み取る読取手段と、手書きキャラクタを判別する判別手段とを有する。また、本発明は、上記判別手段が判別した手書きキャラクタを保存する保存手段と、上記画像データと手書きキャラクタとを合成表示する合成表示手段と、上記合成表示手段が表示している画像と手書きキャラクタとを操作する操作手段とを有する。
【発明の効果】
【００１４】
本発明によれば、手書きナビシートを作成する場合、手書きキャラクタの位置や大きさを誤っても、手書きナビシートを再び印刷するという最初の段階から作業を繰り返す必要がないという効果を奏する。
【発明を実施するための最良の形態】
【００１５】
発明を実施するための最良の形態は、次の実施例である。
【実施例１】
【００１６】
図１は、本発明の実施例１であるＭＦＰ（マルチファンクションプリンタ、複合機）１０１を示す図である。
【００１７】
ＭＦＰ１０１は、スキャナ部２００（図２参照）と、プリント部４００（図４参照）と、ＨＤＤ１０２と、メモリカードスロット１０３と、外部接続端子１０４と、操作部１０５と、ＬＣＤ１０６と、上蓋１０７と、排紙トレー１０８と、給紙部１０９とを有する。
【００１８】
プリント部４００は、インクジェット式のシリアルプリンタである。スキャナ部２００は、ＣＣＤ読取り方式のフラットヘッドスキャナである。ＨＤＤ１０２は、ＭＦＰ１０１の右側の内部に、様々な画像データやアプリケーションを保存するためのメモリである。メモリカードスロット１０３は、ＭＦＰ１０１の左側に設置され、デジカメ等で使用されているメモリカードを読み書きするためのスロットである。
【００１９】
メモリカードは、複数の種類があるので、これらに対応するためメモリカードスロット１０３の口は、２種類設けられている。さらに、外部機器接続（ＵＳＢ）端子１０４は、デジカメやＤＶＤ／ＣＤ−ＲＯＭドライブ、リムーバブルＨＤＤ等の外部機器との接続を行う。操作部１０５は、複数の操作ボタンを有し、これら複数の操作ボタンを操作することによって、ＭＦＰ１０１を操作する。操作部１０５の中央には、ＭＦＰ１０１の状態や画像を表示するカラーＬＣＤ１０６が備えられている。
【００２０】
ＭＦＰ１０１は、上記のように、プリント部４００と、スキャナ部２００と、ＨＤＤ１０２と、メモリカードスロット１０３と、外部機器接続端子１０４と、ＬＣＤ１０６とを有する。したがって、ＭＦＰ１０１は、ＰＣと接続せずに、ストレージ（メモリカード、ＨＤＤ１０２、外部機器）に保存されている画像データや、スキャン画像を、ＬＣＤ１０６に表示し、プリントすることができる。
【００２１】
次に、ＭＦＰ１０１のスキャナ部２００について説明する。
【００２２】
図２は、ＭＦＰ１０１内のスキャナ部２００を示し、上蓋１０７を持ち上げ、ＭＦＰ１０１を上から見た平面図である。
【００２３】
スキャナ部２００は、スキャナキャリッジ２０１と、シャフト２０２と、ガラス２０４と、スキャナキャリッジ駆動モータ２０５とを有する。
【００２４】
スキャナキャリッジ２０１は、光源と、ミラーと、レンズと、ＣＣＤとによって構成され、シャフト２０２上を移動し、画像を光学的に読み取る仕組みを有する。ガラス２０４の上に、読取用画像２０３が載置されている。
【００２５】
次に、ＭＦＰ１０１の操作部１０５について説明する。
【００２６】
図３は、操作部１０５を示す図である。
【００２７】
操作部１０５は、ナビシートボタン３０１と、コピーボタン３０２と、スキャンボタン３０３と、印刷ボタン３０４と、方向ボタン３０５と、決定ボタン３０６と、リセットボタン３０７とを有する。また、操作部１０５は、モノクロボタン３０８と、カラーボタン３０９と、回転ダイヤル３１０とを有する。
【００２８】
操作部１０５の中央には、ＭＦＰ１０１の操作状態や画像を表示するためのカラーＬＣＤ１０６が配置されている。
【００２９】
コピーボタン３０２と、スキャンボタン３０３と、印刷ボタン３０４とは、ＬＣＤ１０６の右側に設けられ、ＭＦＰ１０１の操作モードを決めるボタンである。方向ボタン３０５は、ＬＣＤ１０６上で、メニューを上下左右に操作するための４方向の方向ボタンである。回転ダイヤル３１０は、方向ボタン３０５の内側に設けられ、回転操作を行う。決定ボタン３０６は、回転ダイヤル３１０の内側に配置され、メニューを決定するボタンである。
【００３０】
リセットボタン３０７は、ＬＣＤ１０６の右斜め下に配置され、操作を中断するボタンである。ナビシートボタン３０１は、手書きナビシートの印刷を開始させるボタンである。モノクロボタン３０８と、カラーボタン３０９とは、印刷やスキャンのモノクロ／カラーを決めるボタンである。上記各種キーを操作することによって、ＭＦＰ１０１のモード設定やメニューの操作を行う。
【００３１】
原稿２０３の画像をスキャンする場合、ＭＦＰ１０１の上蓋１０７を持ち上げ、スキャンする原稿２０３を、スキャナのガラス２０４の上に配置し、上蓋１０７を降ろし、操作部１０５上のスキャンボタン３０３を押す。スキャンボタン３０３が押されると、スキャナキャリッジ２０１内の光源が点灯し、スキャナキャリッジ２０１が、シャフト２０２上を移動し、原稿２０３を照射し、この反射光量を、ＣＣＤが読み取る。読み取られた画像データは、電子データ化される。
【００３２】
次に、ＭＦＰ１０１のプリント部４００について説明する。
【００３３】
図４は、ＭＦＰ１０１内のプリント部４００を示す図である。
【００３４】
プリント部４００は、プリンタキャリッジ４０１と、プリントヘッド４０２と、インクタンクと、シャフト４０７と、紙送りローラ４０９と、プラテン４１０と、キャリッジと、紙送り駆動用モータ（図示せず）とを有する。
【００３５】
プリントヘッド４０２は、プリンタキャリッジ４０１の下部に設けられている。インクタンクは、黒インクタンク４０３と、シアンインクタンク４０４と、マゼンタインクタンク４０５と、イエローインクタンク４０６との４色である。シャフト４０７は、インクタンクとプリンタキャリッジ４０１とを支える。紙送りローラ４０９は、印刷用紙４０８を送る。プラテン４１０は、印刷用紙４０８を支える。
【００３６】
印刷する場合、給紙部１０９の一番上の印刷用紙４０８を、紙送りローラ４０９と駆動モータとを使って、Ｕ字状に引き込む。印刷用紙４０８の先端が、プリントヘッド４０２の下に到達する。これと同時に、プリンタキャリッジ４０１は、横方向に往復移動し、プリントヘッド４０２から微小なインク滴を、印刷用紙４０８に吐出することによって、１ライン分の印刷を行う。その後に、１ライン分、印刷用紙４０８を送り、プリンタキャリッジ４０１が再び移動し、印刷する。この動作を繰り返し、印刷が終了した後に、印刷媒体を、排紙トレー１０８上に排紙し、印刷動作を完了する。
【００３７】
ＭＦＰ１０１に内蔵されているＨＤＤ１０２は、メモリカード内のデータのバックアップ保存、外部接続された機器の画像データのバックアップ保存、スキャン時の画像データの保存等を行う。
【００３８】
図５は、実施例１に係るＭＦＰ１０１を示すブロック図である。
【００３９】
ＭＦＰ１０１は、印刷ヘッド制御回路５０２と、プリントヘッド４０２と、スキャナＣＲモータ５０４と、プリンタＣＲモータ５０５と、紙送りモータ５０６と、回復動作モータ５０７と、センサ類５０８と、機構制御回路５０９と、ＡＳＩＣ５１０とを有する。また、ＭＦＰ１０１は、ＣＰＵ５１１と、ＲＯＭ５１２と、ＲＡＭ５１３と、不揮発性メモリ５１４と、ＨＤＤ５１５と、メモリカード５１６と、操作・表示部５１７と、インタフェース（Ｉ／Ｆ−１）５１８と、ＰＣ５１９とを有する。
【００４０】
印刷ヘッド制御回路５０２は、プリンタキャリッジ上のプリントヘッド４０２を電気的に制御し、画像データに基づいてインクを吐出させるための駆動パルスを生成する。スキャナユニット５０３は、画像を光学的に読み取る。スキャナＣＲモータ５０４は、スキャナユニット５０３を移動させるモータである。プリンタＣＲモータ５０５は、プリンタキャリッジを移動させるためのモータである。紙送りモータ５０６は、印刷媒体を搬送するためのモータである。回復動作モータ５０７は、プリントヘッド４０２のノズル内のつまり等を回復するポンプを駆動させるモータである。
【００４１】
センサ類５０８は、プリント部４００、スキャナ部２００の動作をチェックするセンサである。機構制御回路５０９は、各種モータ及びセンサを制御管理する。ＡＳＩＣ５１０は、後述する処理手順に従って、各部の動作を全体的に制御するＣＰＵ５１１を含む。
【００４２】
ＲＯＭ５１２は、ＡＳＩＣ５１０が実行する処理手順に対応するプログラムを記憶したＲＯＭである。ＲＡＭ５１３は、ＡＳＩＣ５１０が処理手順を実行する過程でパラメータやスキャンデータを一時保存するエリアを有するメモリである。
【００４３】
不揮発性メモリ５１４は、装置電源オフ時にもプリントヘッド４０２の状態を保存するためのＥＥＰＲＯＭ等の不揮発性メモリである。ＨＤＤ５１５は、各種データを保存する領域を有する。メモリカード５１６は、デジカメやＰＣ等の他の機器でも使用できる抜差し可能である。
【００４４】
操作・表示部５１７は、電源の投入や、ホスト装置とのオンライン／オフラインの設定、ユーザが所要の操作を行うための各種操作ボタン、操作状態、画像を表示するカラーＬＣＤ１０６を有する。
【００４５】
ＭＦＰ１０１は、インタフェース（Ｉ／Ｆ−１）５１８との間で、ケーブルを介して接続される。
【００４６】
なお、ＰＣ５１９は、ＭＦＰ１０１に対して画像データを入出力するものであり、プリント、スキャンに係る画像等のデータの処理等を行う装置である。ホスト装置等の外部装置５２１は、デジタルカメラ、光ディスク等の外部機器であり、接続は、インタフェース（Ｉ／Ｆ−２）５２０とケーブルとを介して行われる。
【００４７】
次に、手書きナビシートを用いて画像データと手書きキャラクタとを合成した合成画像を、Ｌ判のフォト用紙に印刷する方法について説明する。
【００４８】
ユーザは、画像データが入ったメモリカードを、メモリカードスロット１０３に挿入する。ＬＣＤ１０６を見ながら、操作部１０５のボタンを操作し、印刷する画像を選択する。ＬＣＤ１０６に画像を表示した状態でナビシートボタンを押すと、表示されている画像に対応する手書きナビシート６０１が印刷される。
【００４９】
なお、実施例１における手書きナビシートは、図６、図７に示す従来の手書きナビシートと同じである。
【００５０】
ユーザは、手書きナビシート６０１の「１．用紙の設定」から、希望する印刷用紙を選択し、マークする。ここでは、図７に示すように、Ｌ判フォトをマークしたとする。次に「２．レイアウトの設定」を行う。レイアウトの設定は、画像と手書きのレイアウトとをどのように配置するかを選択する。ここでは、図７に示すように、一番上のレイアウトを選択し、マークをしたとする。
【００５１】
次に、「３．手書きエリア」に、手書きのキャラクタを書き込む。ここで、手書きエリア６０４は、その上部のエリア６０３で選択した画像と、位置的に対応している。ここでは、日付２００６．０１．０１を、手書きエリアの右下に書き込む。これで、手書きナビシートの書込み作業が終了する。
【００５２】
書込み作業が終わった手書きナビシート７０１を、スキャナ部２００にセットし、スキャンボタン３０３を押すと、スキャナ部２００が動作し、手書きナビシート７０１を読み取る。
【００５３】
図８は、手書きキャラクタと選択された画像とが合成された画像が、ＬＣＤ１０６に表示されている操作部１０５と、その周辺に設けられているボタンとを示す図である。
【００５４】
スキャンが終わると、手書きキャラクタと選択された画像とが合成され、図８に示すように、ＬＣＤ１０６に表示される。
【００５５】
ＬＣＤ１０６に表示されている合成画像を、ユーザが確認し、問題が無ければ、印刷枚数を設定し、カラーボタン３０９を押す。プリント部４００が動作し、手書き合成された画像が、Ｌ判用紙に印刷される。
【００５６】
次に、手書きキャラクタ「２００６．０１．０１」の位置を、画像の中央部上側に移動し、キャラクタを大きくし、さらにキャラクタの色を黒色から灰色に変える場合について説明する。
【００５７】
図８に示すように、ＬＣＤ１０６に、合成画像が表示されている状態で、方向ボタン３０５を押す。ＬＣＤ１０６上に、点線で示す四角が表示されているので、方向ボタン３０５を用い、変更するキャラクタ部分を囲み、決定ボタン３０６を押す。
【００５８】
図９は、四角で囲まれたキャラクタが、ＬＣＤ１０６に表示されている状態を示す図である。
【００５９】
方向ボタン３０５を再び押すと、四角で囲んだキャラクタを、図９に示すように、移動させることができる。
【００６０】
図１０は、ＬＣＤ１０６の表示例を示す図である。
【００６１】
ナビシートボタン３０１を押すと、図１０（１）に示すように、ＬＣＤ１０６上に、キャラクタ変更項目が表示される。ユーザが「１．大きさ変更」を選択すると、図１０（２）に示すように、異なる大きさのキャラクタが表示される。方向ボタン３０５の上下を用いて、キャラクタの大きさを変更する。
【００６２】
図１１は、ＬＣＤ１０６において、キャラクタの位置、大きさ、色が変更されて表示されている状態を示す図である。
【００６３】
次に、ユーザが、キャラクタ変更の「２．色変更」を選択し、キャラクタの色を灰色に変更すると、図１１に示すように、キャラクタの位置、大きさ、色が変更されて表示される。この状態で印刷を行うと、変更されたキャラクタの位置、大きさ、色で印刷物が出力される。
【００６４】
次に、手書きナビシートを用い、メモリカード内の画像と手書きキャラクタとを合成し、手書きキャラクタの修正、印刷までの動作について説明する。
【００６５】
図１２は、実施例１において、手書きナビシートを用い、メモリカード内の画像と手書きキャラクタとを合成し、手書きキャラクタの修正、印刷までの動作を示すフローチャートである。
【００６６】
まず、印刷したいメモリカード内の画像を選択する。メモリカードの挿入の有無を確認し（Ｓ１）、メモリカードが挿入されていなければ、エラー表示を行い（Ｓ２）、メモリカードを挿入する（Ｓ３）。メモリカードが挿入されていれば（Ｓ１）、カード内の画像を読出し、ＬＣＤ１０６上で、画像を選択する（Ｓ４）。手書き合成を行う画像が表示された状態で、ナビシートボタン３０１を押し、手書きナビシートを印刷する（Ｓ５）。
【００６７】
次に、印刷された手書きナビシートの印刷設定をし、キャラクタの手書き入力を行う（Ｓ６）。手書き入力が終わっている手書きナビシートを、スキャナ部２００にセットし（Ｓ７）、読み取る（Ｓ８、Ｓ９）。このときに読み取った原稿が、手書きナビシートであるかどうかを判断する（Ｓ１０）。
【００６８】
次に、手書きナビシートとマークとの有無を確認する（Ｓ１０、Ｓ１２）。間違いがあれば、エラー表示する（Ｓ１１、Ｓ１３）。手書きナビシートを読み取った場合、印刷設定と手書きキャラクタとを判断し（Ｓ１４）、画像と手書きキャラクタとを別々にメモリに保存する（Ｓ１５）。メモリ内の画像とキャラクタとを重ね合わせるように合成し、ＬＣＤ１０６に表示させる（Ｓ１６）。
【００６９】
ＬＣＤ１０６に表示されている合成画像をユーザが確認し（Ｓ１７）、キャラクタの位置、大きさ等を変更したければ、表示を見ながら変更する（Ｓ１８）。表示された合成画像を目視で再度確認し、問題がなければ（Ｓ１７）、印刷し（Ｓ１９）、作業を完了する。
【実施例２】
【００７０】
本発明の実施例２は、画像と、合成された手書きキャラクタとを、簡単な操作で修正する実施例である。
【００７１】
実施例２において、実施例１と同様に、手書きナビシートを印刷し、手書き入力し、スキャナで、手書きナビシートを読取り、合成画像をＬＣＤ１０６上に表示する。ここで、手書きキャラクタを修正する場合、位置を移動する場合、実施例１と同様に、方向ボタンを用いる。
【００７２】
文字の大きさを変更するには、回転ダイヤル３１０を用いる。変更したいキャラクタを、方向ボタン３０５で指定した後に、回転ダイヤル３１０を回し、文字の大きさを変更する。回転ダイヤル３１０を時計方向に回すことによって、キャラクタの大きさが段階的に大きくなる。また、回転ダイヤル３１０を反時計方向に回すと、キャラクタの大きさを、段階的に小さくすることができる。
【００７３】
キャラクタの色を変更するには、方向ボタン３０５の上部を押しながら、回転ダイヤル３１０を回すことによって、色を順々に変えることができる。また、フォントを変えるには、方向ボタン３０５の下部を押しながら、回転ダイヤル３１０を回せば、フォントを順々に変えることができる。以後の操作は、実施例１と同様である。
【００７４】
上記のように、実施例２では、方向ボタン３０５と回転ダイヤル３１０とを組み合わせて、使用することによって、手書きキャラクタを、簡単に修正することができる。
【００７５】
なお、上記実施例２を、印刷部と、読取部と、記憶部とが一体となった複合機ではなく、印刷装置と、読取装置と、ストレージとが互いに接続されている複合システム（ＭＦＰシステム）に適用することができる。
【００７６】
つまり、プリント部４００は、画像データ記憶装置に保存されている画像と、手書きのキャラクタとを合成するためのフォーマットを印刷する印刷手段の例である。スキャナ部２００は、フォーマットを読み取る読取手段の例である。ＣＰＵ５１１は、手書きキャラクタを判別する判別手段の例である。
【００７７】
ＲＡＭ５１３は、上記判別手段が判別した手書きキャラクタを保存する保存手段の例である。ＬＣＤ１０６は、上記画像データと手書きキャラクタとを合成表示する合成表示手段の例である。操作部１０５は、上記合成表示手段が表示している画像と手書きキャラクタとを操作する操作手段の例である。
【００７８】
また、上記実施例において、上記操作手段は、上記キャラクタの位置、方向、大きさ、色、フォントのうちの少なくとも１つを変更する手段である。さらに、上記操作手段は、回転式のダイヤルと方向ボタンとを具備し、表示されている手書きキャラクタの位置、方向、大きさ、色のうちの少なくとも１つを段階的に変化させる手段である。
【００７９】
そして、上記実施例をＭＦＰの制御方法として把握することができる。つまり、上記実施例は、画像データ記憶装置に保存されている画像と、手書きのキャラクタとを合成するためのフォーマットを印刷手段に印刷させる印刷工程と、上記フォーマットを読み取り、記憶装置に記憶する読取工程とを実現する例である。また、上記実施例は、手書きキャラクタを判別し、記憶装置に記憶する判別工程と、上記判別工程で判別された手書きキャラクタを記憶装置に保存する保存工程とを実現する例である。さらに、上記実施例は、上記画像データと手書きキャラクタとを合成表示手段に合成表示する合成表示工程と、上記合成表示手段に表示されている画像と手書きキャラクタとをユーザが操作した結果を、記憶装置に記憶する記憶工程とを実現する例である。
【図面の簡単な説明】
【００８０】
【図１】本発明の実施例１であるＭＦＰ（マルチファンクションプリンタ）１０１を示す図である。
【図２】ＭＦＰ１０１内のスキャナ部２００を示し、上蓋１０７を持ち上げ、ＭＦＰ１０１を上から見た平面図である。
【図３】操作部１０５を示す図である。
【図４】ＭＦＰ１０１内のプリント部４００を示す図である。
【図５】実施例１に係るＭＦＰ１０１を示すブロック図である。
【図６】従来のＭＦＰで使用している手書きナビシートの例を示す図である。
【図７】ユーザが、印刷設定を選択し、レイアウト設定を選択し、キャラクタを手書きした従来の手書きナビシート７０１を示す図である。
【図８】手書きキャラクタと選択された画像とが合成された画像が、ＬＣＤ１０６に表示されている操作部１０５を示す図である。
【図９】四角で囲まれたキャラクタが、ＬＣＤ１０６に表示されている状態を示す図である。
【図１０】ＬＣＤ１０６の表示例を示す図である。
【図１１】ＬＣＤ１０６において、キャラクタの位置、大きさ、色が変更されて表示されている状態を示す図である。
【図１２】実施例１において、手書きナビシートを用い、メモリカード内の画像と手書きキャラクタとを合成し、手書きキャラクタの修正、印刷までの動作を示すフローチャートである。
【符号の説明】
【００８１】
１００…ＭＦＰシステム（複合システム）、
１０１…ＭＦＰ（複合機）、
１０５…操作部、
１０６…ＬＣＤ、
２００…スキャナ部、
２０３…読取用原稿、
４００…プリント部。
【図１】
2008172712.tif 000003
【図２】
2008172712.tif 000004
【図３】
2008172712.tif 000005
【図４】
2008172712.tif 000006
【図５】
2008172712.tif 000007
【図６】
2008172712.tif 000008
【図７】
2008172712.tif 000009
【図８】
2008172712.tif 000010
【図９】
2008172712.tif 000011
【図１０】
2008172712.tif 000012
【図１１】
2008172712.tif 000013
【図１２】
2008172712.tif 000014